(57)【要約】【課題】筐体に隣接して他の部材が配置されていても、当該他の部材と干渉することなく扉を開放することができる遊技装置を提供すること。【解決手段】遊技装置Ｂに、筐体Ｂ２１と、この筐体Ｂ２１に一端側が回動自在に取り付けられる前扉２５０と、この前扉２５０と筐体Ｂ２１との間に設けられるヒンジ機構２５１とを備えた。ヒンジ機構２５１は、筐体Ｂ２１の側板２１０内側に一端が回動自在に支持される第１リンク２５１Ａと、前扉２５０の裏面に固定され第１リンク２５１Ａの他端部を直線上にスライドさせるための係合溝２５１Ｂ１を形成した第２リンク２５１Ｂとを有している。【選択図】  図９
2005073858.tif 000002
【特許請求の範囲】
【請求項１】
筐体と、この筐体に一端側が回動自在に取り付けられる扉と、この扉と前記筐体との間に設けられるヒンジ機構とを備え、このヒンジ機構は前記扉および前記筐体の一方に一端が回動自在に支持される第１リンクと、前記扉および前記筐体の他方に設けられ前記第１リンクの他端部を直線上にスライドさせるための係合溝を形成した第２リンクとを有する遊技装置であって、
前記第１リンクの一端は前記筐体の内側部に支持され、前記第２リンクは前記扉の裏面に固定されたことを特徴とする遊技装置。
【請求項２】
請求項１に記載された遊技装置において、前記第２リンクの係合溝に一端側が係合されるとともに他端側が第１リンクに回動自在に係合される第３リンクを備えたことを特徴とする遊技装置。
【請求項３】
請求項２に記載された遊技装置において、前記第３リンクはこの第３リンクの前記第１リンクに対する回動の角度を制限する回動制限部を備えていることを特徴とする遊技装置。
【請求項４】
請求項２または請求項３に記載された遊技装置において、前記第２リンクは取付金具を介して前記扉に取り付けられていることを特徴とする遊技装置。
【請求項５】
請求項４に記載された遊技装置において、前記扉の裏面に凹みが形成され、この凹みの平面部に前記取付金具が取り付けられていることを特徴とする遊技装置。
【発明の詳細な説明】
【技術分野】
【０００１】
本発明は、たとえば、いわゆるスロットマシンや回胴式遊技機などの遊技装置に関する。
【背景技術】
【０００２】
一般に、筐体の一端側にヒンジ機構を介して扉が取り付けられており、この前扉を開けて筐体の内部に収納されたものを取り出し、前扉を閉じて筐体の内部のものを保管する。このヒンジ機構は用途などに応じて種々の構造のものが考えられている。
例えば、家具では、前扉の裏面側に一端が回動自在に支持される第１リンクを設け、筐体の内部に第１リンクの他端部を前後方向に延びる直線上にスライドさせるための係合溝を形成した第２リンクを設けたヒンジ機構が知られている（特許文献１）。
このヒンジ機構では、第２リンクは直線状の係合溝が形成されるため、第１リンクに比べて大きくかつ複雑な形状を有するものであり、スペースにゆとりのある部位に取り付けられることが好ましい。そのため、第２リンクは、通常、筐体の内部に取り付けられている。
【０００３】
【特許文献１】特開平８−２６６７２５号公報（図１）
【発明の開示】
【発明が解決しようとする課題】
【０００４】
ここで、外周に図柄を配列した複数のリールを有するリールユニットなどの部材を筐体の内部に収納し、この筐体の前面に前扉を取り付ける遊技装置があるが、この遊技装置に特許文献１のヒンジ機構をそのまま適用することが考えられる。
特許文献１のヒンジ機構では、第１リンクの回動中心が前扉側にあるため、前扉を大きく開放すると、前扉の端部が筐体の正面より後方に位置することがある。
この場合、筐体の横に別の家具などを密接配置すると、隣の家具などに前扉の端部があたってしまうので、家具同士の間隔を開けるなどの対応が必要である。
しかしながら、遊技装置と遊技媒体貸出装置とを交互に配置して、いわゆる「島」を構成することがある。遊技装置と遊技媒体貸出装置との間には隙間がないので、家具に用いられる特許文献１のヒンジ機構をそのまま使用することができないという不都合がある。
【０００５】
本発明の目的は、筐体に隣接して他の部材が配置されていても、当該他の部材と干渉することなく扉を開放することができる遊技装置を提供することにある。
【課題を解決するための手段】
【０００６】
本発明の遊技装置は、筐体と、この筐体に一端側が回動自在に取り付けられる扉と、この扉と前記筐体との間に設けられるヒンジ機構とを備え、このヒンジ機構は前記扉および前記筐体の一方に一端が回動自在に支持される第１リンクと、前記扉および前記筐体の他方に設けられ前記第１リンクの他端部を直線上にスライドさせるための係合溝を形成した第２リンクとを有する遊技装置であって、前記第１リンクの一端は前記筐体の内側部に支持され、前記第２リンクは前記扉の裏面に固定されたことを特徴とする。
【０００７】
この発明によれば、第１リンクの回動中心が筐体側にあり、この第１リンクに対してスライドする第２リンクが扉側にあるため、扉を開放操作すると、第２リンクに固定される扉は筐体に対して前方に移動するため、扉の端部が筐体の前面より後方に位置することがない。従って、筐体に密接して遊技媒体貸出装置や他の装置を配置しても、当該装置と前記扉との干渉が防止される。
【０００８】
本発明では、前記第２リンクの係合溝に一端側が係合されるとともに他端側が第１リンクに回動自在に係合される第３リンクを備えた構成が好ましい。
この発明では、一端側が第２リンクの係合溝に係合され他端側が第１リンクに回動自在に係合された第３リンクを備えているので、この第３リンクにより、第１リンクに対する第２リンクの移動軌跡は、常に略一定となる。このため、扉を開放操作する際に、当該扉の移動軌跡が略一定となり、当該開放操作が容易となる。
【０００９】
また、前記第３リンクはこの第３リンクの前記第１リンクに対する回動の角度を制限する回動制限部を備えている構成が好ましい。
この発明では、第３リンクに当該第３リンクの第１リンクに対する回動の角度を制限する回動制限部を備えているので、当該第３リンクに係合されている第２リンクの第１リンクに対する移動や回動が制限される。このため、扉の開放操作の際の筐体に対する移動は、常に所定位置で阻止され、当該開放操作がより容易となる。
【００１０】
さらに、前記第２リンクは取付金具を介して前記扉に取り付けられている構成が好ましい。
この発明では、取付金具に第２リンクが取り付けられているので、第２リンクの扉への取付が容易となる。
【００１１】
前記扉の裏面に凹みが形成され、この凹みの平面部に前記取付金具が取り付けられている構成が好ましい。
この発明では、第２リンクの取付位置を筐体の前面に近接させることで、扉を大きく開放することができる。そのため、筐体内にものを搬入搬出しやすくなる。
【発明を実施するための最良の形態】
【００１２】
以下、本発明の一実施形態を図面に基づいて説明する。
図１は、本実施形態の遊技システムを示す斜視図である。図２は、遊技装置の前扉を開放した状態を示す斜視図である。図３は、遊技装置の前扉を開放した状態の正面図である。図４は、遊技装置の上部ユニット筐体内を上方から見た斜視図である。図５は、遊技装置の上部ユニット筐体内を下方から見た斜視図である。図６は、遊技装置の上部ユニットに設けられる閉塞ロック機構を示す図である。図７は、遊技装置の下部ユニットを上方から見た斜視図である。図８は、遊技装置の下部ユニットに取り付けられるコネクタを示す斜視図である。図９は、遊技装置の下部ユニットに取り付けられるヒンジ機構を示す図で（Ａ）は筐体の前扉を閉じた状態におけるヒンジ機構を示す図で、（Ｂ）は筐体の前扉を開いた状態におけるヒンジ機構を示す図である。図１０は、遊技装置の下部ユニットの前扉を裏面から見た斜視図である。図１１は、遊技装置の上部ユニットと下部ユニットとの分離連結手段を示す図である。図１２は、遊技装置の上部ユニットと下部ユニットとの締結手段を示す図である。
【００１３】
［遊技システムの全体構成］
遊技システムは、図１に示すように、いわゆる「島」を構成する構造体Ａと、遊技装置Ｂと、遊技媒体貸出装置Ｃとを備えている。構造体Ａは、いわゆる「ホール」と称される床面上に配列設置される。遊技装置Ｂは、いわゆる「パチスロ」と称される回胴式遊技機で、構造体Ａに所定間隔おきに形成された枠空間内にそれぞれ収納配置される。遊技媒体貸出装置Ｃは、遊技装置Ｂにて遊技するための遊技媒体であるメダルを貸し出すための装置で、構造体Ａの枠空間内に各遊技装置Ｂと隣接配置される。
【００１４】
［構造体の構成］
構造体Ａは、図１に示すように、複数の遊技装置Ｂおよび遊技媒体貸出装置Ｃを載置するための載置台Ａ１と、遊技装置Ｂおよび遊技媒体貸出装置Ｃが並設した組毎にこれらを収納配置するための枠空間を形成する枠フレームＡ２とを備えている。載置台Ａ１は、横方向に長い略直線状の箱形状に形成されている。枠フレームＡ２は、遊技装置Ｂおよび遊技媒体貸出装置Ｃの組の間を仕切る仕切桟Ａ２１と、これら仕切桟Ａ２１の上端に跨って載置台Ａ１と略平行に架け渡された上梁Ａ２２とを備えて構成されている。
【００１５】
［遊技装置の構成］
遊技装置Ｂは、図２および図３に示すように、上部ユニットＢ１と、下部ユニットＢ２と、これら上部ユニットＢ１および下部ユニットＢ２を分離可能かつ一体的に連結可能とする分離連結手段Ｂ３とを備えている。
【００１６】
（上部ユニットの構成）
上部ユニットＢ１は、図２および図３に示すように、筐体Ｂ１１と、リールユニットＢ１２と、演出ユニットＢ１３と、遊技制御手段Ｂ１４と、演出制御手段Ｂ１５とを備えている。
【００１７】
筐体Ｂ１１は、一対の側板１１０と、この一対の側板１１０の上端間に架け渡された天板１２０と、一対の側板１１０の下端間に架け渡された底板１３０と、一対の側板１１０の後端間に架け渡された背板１４０とを備え、側面から見て側板１１０の前端側が開口された略台形箱形状に形成されている。この筐体Ｂ１１の一対の側板１１０の前端間には、前扉１５０が設けられている。
【００１８】
側板１１０は、木製、たとえば、合板や集成材などによって台形板状に形成されているとともに、高さ方向中間位置よりやや下方位置に側面側把手１１１を備える。側面側把手１１１は、側板１１０の下部に横長矩形状の取付孔１１２が形成され、この取付孔１１２に合成樹脂によって偏平角筒状に形成された把手部材１１３が嵌合されて構成されている。把手部材１１３は、外端（側板外表面側）が開口されかつ内端に底壁を有する偏平角筒状の把手本体１１３Ａと、この把手本体１１３Ａの外周面に一体的に突設され側板１１０の内面に固定されるフランジ１１３Ｂとを備える。なお、向かって右側の側板１１０には、内面側前端縁上下位置に係合ピン１１４が水平に突設されているとともに、それらの間に係合ガイド片１１５が設けられている。係合ガイド片１１５は、図４に示すように、側板１１０内面に固定された固定片１１５Ａと、この固定片１１５Ａの下端から直角にかつ水平に折曲された受片１１５Ｂとを有するＬ字形状で、受片１１５Ｂの前端縁が下方へ傾斜された形状に形成されている。
【００１９】
天板１２０は、木製、たとえば、合板や集成材などによって横長矩形板状に形成されているとともに、後端縁に沿ってかつ所定間隔隔てて貫通形成された複数（３つ）の通気孔１２１（図５参照）を備えている。これら通気孔１２１は、天板１２０の内面側に貼り付けられた金属製のメッシュ体１２２によって塞がれている。このメッシュ体１２２は平面矩形状の金属板に複数の孔を有するパンチングメタルから形成されており、その上面が天板１２０の下面に接着、ボルト締めなどで固定されている。
【００２０】
底板１３０は、図４に示すように、鋼鈑によって横長矩形板状に一体形成されたベース部材１３１を備えている。このベース部材１３１の両側には摺動脚部材１３２が一体的に取り付けられている。
ベース部材１３１は、横長矩形板状で、前端および両端に下方に略直角に折り曲げられた折曲片１３１Ａ，１３１Ｂを有するとともに、後端に上方へ略直角に折り曲げられた折曲片１３１Ｃを備える。前端側折曲片１３１Ａには、両側に封止ねじ挿入孔１３１Ａ１が形成されているとともに、略中央位置に金属製の前面側把手１３３が一体的に取り付けられている。前面側把手１３３は、前端側折曲片１３１Ａの長さの約１／３程の長さを有し、前端側折曲片１３１Ａから前方に延長されたのち、上方へ直角に起立された形状を備えている。後端側折曲片１３１Ｃは、背板１４０の内面に固定されている。
【００２１】
背板１４０は、木製、たとえば、合板や集成材などによって、側板の高さ寸法に対応する高さを有する横長矩形板状に形成されている。また、背板１４０には、図５に示すように、上端縁に沿って複数の通気孔１４１が貫通形成されているとともに、上部両端縁に沿って縦長形状の通気孔１４２が貫通形成されている。これらの通気孔１４１，１４２は図示しない金属製のメッシュ体で塞がれている。
【００２２】
前扉１５０は、一端側が側板１１０（正面から見て左側の側板）の上下２箇所に設けられたヒンジ機構１５１を介して開閉可能に装着されているとともに、他端側に閉塞ロック手段１６０を備えている。なお、ヒンジ機構１５１は、下部ユニットＢ２の前扉２５０のヒンジ機構２５１と同一構造であるため、ここでは説明を省略する。前扉１５０の外表面には、図１に示すように、略中央に横長矩形状の表示パネル１５３が、その両側にサイドランプ１５４が、これらの上部に液晶表示部１５５およびスピーカ１５６が、最上部に上部ランプ１５７が、それぞれ設けられている。表示パネル１５３の内部中央には、透明な窓部１５３Ａが形成されている。
【００２３】
閉塞ロック手段１６０は、図６に示すように、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備えている。
固定プレート１６１には、前扉１５０を閉じる方向へ回動していったとき、側板１１０の係合ガイド片１１５上に乗り上げる乗上片１６１Ａが一体に形成されているとともに、その上下位置に乗上片１６１Ａが係合ガイド片１１５に乗り上げた状態において、側板１１０の係合ピン１１４に嵌り込む嵌合溝１６１Ｂが形成されている。乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されている。嵌合溝１６１Ｂは、内径が係合ピン１１４の径より僅かに大きい径で、固定プレート１６１の前端縁に開口されている。
可動プレート１６２は、固定プレート１６１に２本のピンを介して上下方向へ変位可能に設けられたプレート本体１６２Ａを備える。プレート本体１６２Ａには、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にロック片１６２Ｃが一体的に形成されている。ロック片１６２Ｃは、プレート本体１６２Ａから前方へ向かって突出され、その突出部の下面に下向き開口を有する溝部１６２Ｃ１およびこの溝部１６２Ｃ１から連続して前方へ向かうに従って上方へ傾斜する傾斜面１６２Ｃ２を備える。
付勢手段１６３は、引張コイルばねによって構成され、下端が固定プレート１６１に固定され、上端が可動プレート１６２に固定されている。
【００２４】
リールユニットＢ１２は、図２および図３に示すように、リールボックス１７１と、このリールボックス１７１内に並設して収納配置された複数（３つ）のリール１７２とを備えている。
リールボックス１７１は、たとえば、鋼鈑などによって前面を開放した略直方体形状の箱状に形成され、下面が筐体Ｂ１１の底板１３０に固定されている。
リール１７２は、前扉１５０の透明な窓部１５３Ａに臨む位置でリールボックス１７１内に配置され、それぞれに連結されたモータ（たとえば、ステッピングモータ）の駆動によって回転される。リール１７２の外周面には、複数個（たとえば、２１個）の図柄が等間隔で配列されている。図柄は、ビッグボーナス（ＢＢ）図柄、レギュラーボーナス（ＲＢ）図柄、小役図柄、リプレイ図柄などから構成され、それぞれのリール１７２毎に図柄が異なる配列で配置されている。リール１７２の内部には、それぞれのリール１７２の図柄を背面（リール内部）から照らすバックライトが取り付けられている。これにより、遊技者は、表示パネル１５３の透明な窓部１５３Ａを通して、各リール１７２の絵柄の移動を視認することができる。
【００２５】
演出ユニットＢ１３は、図１に示すように、前扉１５０の外表面に設けられた各種ランプおよびスピーカなどで構成されている。具体的には、前扉１５０の略中央両側に設けられたサイドランプ１５４と、上部に設けられた液晶表示部１５５およびスピーカ１５６と、最上部に設けられた上部ランプ１５７とから構成されている。これらランプ１５４，１５７、液晶表示部１５５、スピーカ１５６は、図示しない駆動回路を介して演出制御手段Ｂ１５によって制御され、ゲーム中の一般的な入賞報知やマシン動作の効果音、効果サラウンドなどの出力を行うほか、さまざまな内部当選の結果を遊技者に告知する。
【００２６】
遊技制御手段Ｂ１４は、図３および図５に示すように、筐体Ｂ１１の背板１４０の内面に基板取付フレーム１９１を介して取り付けられた遊技制御基板１９２によって構成されている。
基板取付フレーム１９１は、金属（鋼鈑など）によって横長矩形枠形状に形成され、筐体Ｂ１１の背板１４０の内面に止めねじによって固定されている。また、基板取付フレーム１９１には、メッシュ体１２２から延長された連結帯１２２Ａが接触されている。つまり、メッシュ体１２２と基板取付フレーム１９１とが導通接続されている。
遊技制御基板１９２は、入力ポートおよび出力ポートを有するとともに、メダルセンサ、クロック発生回路、スタートレバー、第１〜第３のリールインデックス、停止ボタン、第１〜第３のリール表示器、メダルブロックソレノイド、スタートレバーＬＥＤ、３個のＢＥＴ表示ランプなどの周辺機器（いずれも図示省略）が電気的に接続されている。リールインデックスでは、リール１７２が一回転する毎に発生するリセットパルスを検出し、その所定の基準値からの回転角度をリール１７２の回転位置として計数し、その計数値を遊技制御基板１９２に与える。遊技制御基板１９２では、各リール１７２の回転位置の組み合わせから（絵柄の組み合わせから）、入賞を判定し、メダルの払い出しや、遊技状況に応じて演出制御手段Ｂ１５に各種信号を出力する。
【００２７】
演出制御手段Ｂ１５は、図３に示すように、筐体Ｂ１１の一方の側板１１０の内面に基板取付フレーム２０１を介して取り付けられた演出制御基板２０２によって構成されている。基板取付フレーム２０１とメッシュ体１２２とは導通接続されている。本実施形態では、基板取付フレーム１９１，２０１は金属板などで接続され、かつ、アース接続されている。これにより、筐体Ｂ１１全体がシールドされることになる。
演出制御基板２０２は、ＣＰＵ、音声ＬＳＩ、データ入力回路、クロック発生回路、制御用ＲＯＭ、ＲＡＭ、音声用ＲＯＭ、アンプ回路などを備え、液晶表示部１５５、上部ランプ１５７、サイドランプ１５４、リールバックライト、スピーカ１５６などを制御する。つまり、遊技制御基板１９２からの信号に基づき、遊技状況に応じて、液晶表示部１５５、上部ランプ１５７、サイドランプ１５４、リールバックライト、スピーカ１５６などを制御する。
【００２８】
（下部ユニットの構成）
下部ユニットＢ２は、図１、図２および図３に示すように、筐体Ｂ２１と、遊技媒体投入手段Ｂ２２と、操作手段Ｂ２３と、電源ユニットＢ２４と、外部集中端子板Ｂ２５と、遊技媒体回収払出手段Ｂ２６とを備えている。
【００２９】
筐体Ｂ２１は、一対の側板２１０と、この一対の側板２１０の上端縁から所定寸法離れた位置間に架け渡された天板２２０と、一対の側板２１０の下端間に架け渡された底板２３０と、一対の側板２１０の後端間に架け渡された背板２４０とを備え、側面から見て側板２１０の前端側が開口された略台形箱形状に形成されている。この筐体Ｂ２１の一対の側板２１０の前端間には、前扉２５０が設けられている。
【００３０】
側板２１０は、木製、たとえば、合板や集成材などによって台形板状に形成されている。なお、向かって左側の側板２１０内面には電源ユニットＢ２４が取り付けられているとともに、向かって右側の側板２１０の内面前端縁上下位置に係合ピン２１４が水平に突設されているとともに、それらの間に係合ガイド片２１５が設けられている。係合ガイド片２１５は、係合ガイド片１１５と同様に、側板２１０内面に固定された固定片と、この固定片の下端から直角にかつ水平に折曲された受片とを有するＬ字形状で、受片の前端縁が下方へ傾斜された形状に形成されている。
【００３１】
天板２２０は、木製、たとえば、合板や集成材などによって横長矩形板状に形成されているとともに、一対の側板２１０の上部間に止めねじによって固定されている。天板２２０の前端縁には、図７に示すように、後端縁に向かって凹状に切り欠かれた凹部２２１が形成されている。凹部２２１は、下部ユニットＢ２内に配置された遊技媒体回収払出手段Ｂ２６に、下部ユニットＢ２の上部からメダルの補充する際のメダル投入口として形成されている。
【００３２】
天板２２０の上面において、両端側には上部ユニットＢ１の摺動脚部材１３２を前後方向へ摺動自在にガイドするレール部材２２２が固定されているとともに、このレール部材２２２の間には上部ユニットＢ１が後端側へ向かって収納されたとき上部ユニットＢ１に当接し上部ユニットＢ１の後退を規制するストッパ部材２２３が固定されている。ストッパ部材２２３は、天板２２０上面に固定された固定片２２３Ａと、この固定片２２３Ａの前端縁から上方へ略直角に折り曲げられ上部ユニットＢ１の下端部に当接する起立片２２３Ｂとを備えている。固定片２２３Ａは、数本の止めねじ２２４によって天板２２０に固定されている。起立片２２３Ｂには、両側に封じねじ螺合孔２２３Ｂ１が形成されている。
【００３３】
天板２２０の下面において、凹部保護プレート２２５およびコネクタ取付プレート２２６が、ストッパ部材２２３を固定した止めねじ２２４によって固定されている。凹部保護プレート２２５は、天板２２０の下面に固定された固定片２２５Ａと、この固定片２２５Ａの先端から上方へ起立した起立片２２５Ｂとを有し、起立片２２５Ｂが凹部２２１内端面を覆うように配置されている。コネクタ取付プレート２２６は、図８に示すように、天板２２０の下面に固定された固定片２２６Ａと、この固定片２２６Ａの先端から下方へ垂下した垂下片２２６Ｂとを有している。垂下片２２６Ｂには、両端側に係合孔２２７が形成されているとともに、これらの間にコネクタ２２８が取り付けられている。
【００３４】
コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われている。
【００３５】
コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えている。折返フック片２２９Ｂは、カバー本体２２９Ａの開口部一端縁からカバー本体２２９Ａの側壁と略平行になるように略Ｕ字形状に折曲形成されている。係合爪２２９Ｃは、カバー本体２２９Ａの開口部一端縁から延長され弾性変形可能な腕部２２９Ｃ１と、この腕部２２９Ｃ１の先端に外側に突起した爪部２２９Ｃ２とを備えている。爪部２２９Ｃ２の先端外側面は、先端から腕部へ向かうに従って外側へ傾斜する傾斜面に形成されている。
【００３６】
底板２３０は、木製、たとえば、合板や集成材などによって横長矩形板状に形成されるとともに、一対の側板２１０の下部間に止めねじによって固定されている。
【００３７】
背板２４０は、木製、たとえば、合板や集成材などによって、側板の高さ寸法に対応する高さを有する横長矩形板状に形成されている。
【００３８】
前扉２５０は、一端側が片方の側板２１０の上下２箇所に設けられた、図９（Ａ），（Ｂ）に示すヒンジ機構２５１を介して開閉可能に装着されているとともに、他端側に閉塞ロック手段２６０を備えている。なお、閉塞ロック手段２６０は、上部ユニットＢ１の前扉１５０の閉塞ロック手段１６０と同一構造であるため、説明を省略する。
【００３９】
ヒンジ機構２５１は、平面略Ｌ字状でありかつ断面略コ字状に形成された第１リンク２５１Ａと、平面略細長矩形の筒状に形成された第２リンク２５１Ｂと、平面略く字状でありかつ断面略コ字状に形成された第３リンクとしてのリンク部材２５１Ｃと、略矩形板状に形成された第３リンクとしての２つのリンク部材２５１Ｄと、略矩形状の金属板を屈曲させることにより構成された取付金具２５１Ｅとを備えている。なお、以下において、上記各部材の図９（Ａ），（Ｂ）の紙面に略平行な面を有する部分を平面部と適宜称し、紙面に略垂直な面を有する部分を垂直部と適宜称する。また、図９（Ａ），（Ｂ）の紙面に略平行な方向を平面方向と適宜称する。
【００４０】
取付金具２５１Ｅは、断面略直線状のリンク取付部２５１Ｅ１と、このリンク取付部２５１Ｅ１の一端側が断面略コ字状に屈曲されることにより設けられた前扉取付部２５１Ｅ２と、リンク取付部２５１Ｅ１の他端側が断面略Ｌ字状に屈曲されることにより設けられた前扉取付部２５１Ｅ３とを備えている。この取付金具２５１Ｅは、リンク取付部２５１Ｅ１と前扉２５０の内表面に形成された凹み２５０Ａの平面部２５０Ａ１とが所定距離だけ離れるように、前扉取付部２５１Ｅ２，２５１Ｅ３において、凹み２５０Ａの平面部２５０Ａ１に取り付けられている。
【００４１】
第２リンク２５１Ｂは、一方の垂直部が取付金具２５１Ｅのリンク取付部２５１Ｅ１に、図示しない止めねじによって固定されている。また、第２リンク２５１Ｂの平面部の短辺方向略中央には、平面部の長辺方向と略平行の細長形状に形成された係合溝２５１Ｂ１が設けられている。この係合溝２５１Ｂ１は、一端側（図９（Ａ）における左側）が取付金具２５１Ｅに近接する方向に曲げられている。なお、ここでは図示されない第２リンク２５１Ｂのもう１つの平面部にも、同一形状の図示しない係合溝が設けられている。
【００４２】
第１リンク２５１Ａは、上述したように平面略Ｌ字状でありかつ断面略コ字状に形成されている。この第１リンク２５１Ａの垂直部は、ここでは図示されていないが、平面方向略中央から平面方向一端（図９（Ａ）における左側）にかけての部分、および、平面方向他端部分が切り欠かれている。この第１リンク２５１Ａは、断面略コ字状の開口部で第２リンク２５１Ｂを覆うように配設されている。そして、第１リンク２５１Ａの平面部の他端側には、第２リンク２５１Ｂの係合溝２５１Ｂ１に移動可能に係合された係合ピン２５１Ａ１が設けられている。なお、ここでは図示されない第１リンク２５１Ａのもう１つの平面部にも、同様の図示しない係合ピンが設けられている。一方で、第１リンク２５１Ａの平面部の一端側には、図示しない挿通孔が設けられている。同様に、ここでは図示されない第１リンク２５１Ａのもう１つの平面部にも、同一形状の図示しない挿通孔が設けられている。そして、これらの挿通孔には、側板２１０に固定された取付金具２５１Ｆにより両端が保持された回動軸２５１Ｆ１が挿通されている。これにより、第１リンク２５１Ａは、回動軸２５１Ｆ１を中心に回動する。
【００４３】
リンク部材２５１Ｃは、上述したように平面略く字状でありかつ断面略コ字状に形成されている。このリンク部材２５１Ｃの垂直部は、ここでは図示されていないが、平面方向一端（図９（Ａ）における下側）部分、および、平面方向略中央の部分が切り欠かれている。このリンク部材２５１Ｃは、断面略コ字状の開口部が側板２１０と対向するように、かつ、第１リンク２５１Ａの垂直部の平面方向一端側の切り欠かれた部分に嵌合されるように配設されている。また、リンク部材２５１Ｃの平面部の略中央には図示しない挿通孔が設けられている。同様に、ここでは図示されないリンク部材２５１Ｃのもう１つの平面部にも、同一形状の図示しない挿通孔が設けられている。そして、これらの挿通孔には、第１リンク２５１Ａの平面部の略中央に設けられた図示しない回動軸保持部により両端が保持された回動軸２５１Ｃ１が挿通されている。これにより、リンク部材２５１Ｃは、回動軸２５１Ｃ１を中心に回動する。また、リンク部材２５１Ｃの平面部の他端側には、略円板状の回動制限部２５１Ｃ２が配設されている。同様に、ここでは図示されないリンク部材２５１Ｃのもう１つの平面部にも、同一形状の図示しない回動制限部が配設されている。そして、回動制限部２５１Ｃ２は、リンク部材２５１Ｃが所定角度回動した際に、第１リンク２５１Ａに当接されるように配設されている。これにより、リンク部材２５１Ｃが第１リンク２５１Ａに対して所定角度以上回動するのを防止できる。
【００４４】
リンク部材２５１Ｄは、一端側が第２リンク２５１Ｂの開口部の内部に位置し、他端側がリンク部材２５１Ｃの平面部の裏面側（図９（Ａ）における紙面裏側）に位置するように配設されている。このリンク部材２５１Ｄの一端側には、第２リンク２５１Ｂの係合溝２５１Ｂ１に移動可能に係合された係合ピン２５１Ｄ１が設けられている。同様に、ここでは図示されないリンク部材２５１Ｄにも、同様の図示しない係合ピンが設けられている。また、リンク部材２５１Ｄの他端側には、図示しない挿通孔が設けられている。同様に、ここでは図示されないリンク部材２５１Ｄにも、同様の挿通孔が設けられている。そして、これらの挿通孔には、リンク部材２５１Ｃの平面部の一端側に設けられた図示しない回動軸保持部により両端が保持された回動軸２５１Ｄ２が挿通されている。これにより、リンク部材２５１Ｄは、回動軸２５１Ｄ２を中心に回動する。
【００４５】
前扉２５０の外表面には、図１に示すように、表示パネル２５３が取り付けられているとともに、その下方位置に、入賞時に獲得したメダルを払い出すメダル払出口２５５、および、メダル受皿部２５６がそれぞれ設けられている。また、前扉２５０の内表面（裏面）側には、図１０に示すように、操作手段Ｂ２３の各種ボタン（スタートレバーや停止ボタンなど）を一括して配置する中継基板２５７が設けられている。
【００４６】
遊技媒体投入手段Ｂ２２は、前扉２５０の上端面に設けられたメダル投入口によって構成されている。
操作手段Ｂ２３は、前扉２５０の外表面上部位置に配置された複数のボタンによって構成されている。すなわち、複数のリール１７２を回転させて遊技をスタートさせるためのスタートレバー２６１、各リール１７２の回転停止を指令する３つの停止ボタン２６２のほか、ベッドスイッチや精算ボタンなどから構成されている。
電源ユニットＢ２４は、リールユニットＢ１２、演出ユニットＢ１３、遊技制御手段Ｂ１４、演出制御手段Ｂ１５、遊技媒体回収払出手段Ｂ２６などに電力を供給するためのもので、筐体Ｂ２１の（左側）側板２１０の内面に固定されている。
外部集中端子板Ｂ２５は、筐体Ｂ２１の（右側）側板２１０の内面に固定されている。
遊技媒体回収払出手段Ｂ２６は、下部ユニット内に設けられたメダルホッパ２７１と、このメダルホッパから溢れたメダルを収容する余剰メダル収容タンク２７２とを備えている。メダルホッパ２７１は、既存の構造のもので、所定量のメダルを貯えるとともに、遊技制御基板１９２からの指令に基づき、貯えたメダルをメダル払出口から払い出す。
【００４７】
（分離連結手段の構成）
分離連結手段Ｂ３は、図１１に示すように、上部ユニットＢ１の底板１３０に設けられた摺動脚部材１３２と、下部ユニットＢ２の天板２２０に設けられたレール部材２２２と、上部ユニットＢ１が下部ユニットＢ２の定位置に組み込まれた状態において上部ユニットＢ１の前方への移動を阻止するストッパ機構Ｂ３３と、上部ユニットＢ１の底板１３０と下部ユニットＢ２の天板２２０とを締結する締結手段Ｂ３４とを備えて構成されている。
【００４８】
摺動脚部材１３２は、１枚の板材の折り曲げ加工によって形成されている。つまり、上部ユニットＢ１の側板１１０内面にねじ止め固定された固定片１３２Ａと、この固定片１３２Ａの下端から筐体Ｂ１１内へ向かって略直角に折り曲げられた水平折曲片１３２Ｂと、この水平折曲片１３２Ｂの先端から下方へ向かって略直角に折り曲げ加工され溶接などにより底板１３０の折曲片１３１Ｂの側面に一体的に連結される連結片１３２Ｃと、この連結片１３２Ｃの下端に折曲形成されたＬ字形状の摺動部１３２Ｄとを有する形状に折り曲げ加工されている。
【００４９】
レール部材２２２は、１枚の板材の折り曲げ加工によって形成されている。つまり、断面コ字型に折曲形成され、摺動脚部材１３２の摺動部１３２Ｄを筐体Ｂ２１の前後方向へ移動可能にガイドするガイド部２２２Ａと、このガイド部２２２Ａの上部水平片の２箇所から上方に切り起こされた固定片２２２Ｂと、ガイド部２２２Ａの下部水平片先端から僅か上方へ段差を持って折曲されたのち筐体Ｂ２１内へ水平に延長された離脱阻止部材としての延長部２２２Ｃとを有する形状に折り曲げ加工されている。固定片２２２Ｂは筐体Ｂ２１の側板２１０内面に、延長部２２２Ｃは筐体Ｂ２１の天板２２０にそれぞれ止めねじによって固定されている。
【００５０】
ストッパ機構Ｂ３３は、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備えている。ストッパ片３１２は、先端が下部ユニットＢ２の天板２２０およびレール部材２２２に形成された開口３１２Ａに対して出没可能に設けられているとともに、下端に操作部３１２Ｂを備える。付勢手段３１３は、引張スプリングによって構成されている。引張スプリングは、その上端が保持枠３１１の上部に係止され、下端がストッパ片３１２の下端に係止されている。
【００５１】
締結手段Ｂ３４は、下部ユニットＢ２の天板２２０に設けられた挿通孔およびレール部材２２２の延長部２２２Ｃに設けられた挿通孔２２２Ｄから上部ユニットＢ１の底板１３０に設けられた挿通孔３２１を通って挿通された連結部材としての連結ボルト３２２と、上部ユニットＢ１の底板１３０上側から連結ボルト３２２に螺合されるめねじとしてのナット部材３２３とから構成されている。延長部２２２Ｃの挿通孔２２２Ｄの内周には、図１２に示すように、めねじ３２４が形成されている。連結ボルト３２２には、略棒状の軸部３２２Ｃの上部にナット部材３２３およびめねじ３２４に螺合するおねじ３２２Ａが形成されているとともに、軸部３２２Ｃの下端部につまみ３２２Ｂが設けられている。
【００５２】
従って、連結ボルト３２２のおねじ３２２Ａがナット部材３２３から外れた状態でも、連結ボルト３２２のおねじ３２２Ａの下端部が延長部２２２Ｃの挿通孔２２２Ｄに設けられためねじ３２４の上端部で支持され、それ以上下方へ落下することが阻止されている。つまり、連結ボルト３２２の落下が防止されている。
また、連結ボルト３２２およびナット部材３２３は、それぞれ導電性を有する金属によって構成されているとともに、これらに下部ユニットＢ２および上部ユニットＢ１の金属物が接続されている。
【００５３】
［遊技媒体貸出装置の構成］
遊技媒体貸出装置Ｃは、図１に示すように、遊技装置Ｂに対して正面から見て右側に位置して、構造体Ａ内に配置される。側面から見て、遊技装置Ｂと略同形状で横幅寸法が十数ｃｍ程度の偏平状のケース体Ｃ１を有している。
ケース体Ｃ１の正面には、カード挿入口Ｃ１１、紙幣挿入口Ｃ１２、メダル払出口Ｃ１３が上から順に設けられている。メダル払出口Ｃ１３には、シュートＣ１４が取り付けられている。シュートＣ１４の下端は、下部ユニットＢ２のメダル受皿部２５６に臨ませられている。
【００５４】
［遊技システムの作用］
（上部ユニットの結合動作）
上部ユニットＢ１を下部ユニットＢ２に結合するには、下部ユニットＢ２の天板２２０上に上部ユニットＢ１を載置する。この際、下部ユニットＢ２のレール部材２２２に上部ユニットＢ１の摺動脚部材１３２が嵌り込むように、下部ユニットＢ２に対して上部ユニットＢ１を位置合わせするとともに、ストッパ機構Ｂ３３のストッパ片３１２を付勢手段（引張スプリング）３１３に抗して下方へ引き下げ、ストッパ片３１２の上端を開口３１２Ａより下方に位置させる。
【００５５】
この状態において、上部ユニットＢ１を下部ユニットＢ２の後方へ押し込んでいくと、上部ユニットＢ１の底板１３０の前端側折曲片１３１Ａが下部ユニットＢ２の天板２２０に設けられたストッパ部材２２３に当接される。ここで、ストッパ機構Ｂ３３の付勢手段（引張スプリング）３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが阻止される。
【００５６】
ここで、締結手段Ｂ３４の連結ボルト３２２を上へ持ち上げながら、おねじ３２２Ａをナット部材３２３に螺合していくと、これらによって、上部ユニットＢ１の底板１３０と下部ユニットＢ２の天板２２０とが締め付けられていくから、上部ユニットＢ１を下部ユニットＢ２に一体的に結合することができる。
最後に、上部ユニットＢ１の前端側折曲片１３１Ａの両側に設けられた封止ねじ挿入孔１３１Ａ１から封止ねじを挿入し、下部ユニットＢ２のストッパ部材２２３に設けられたねじ螺合孔２２３Ｂ１に螺合したのち、封止を行う。これにより、上部ユニットＢ１と下部ユニットＢ２とが一体とみなされる。
【００５７】
（上部ユニットの分離動作）
上部ユニットＢ１を下部ユニットＢ２から分離するには、上部ユニットＢ１および下部ユニットＢ２の前扉１５０，２５０をそれぞれ開放し、締結手段Ｂ３４の連結ボルト３２２を緩める。つまり、上部ユニットＢ１側に位置するナット部材３２３を保持して回動規制した状態で、連結ボルト３２２を緩める。すると、連結ボルト３２２がナット部材３２３から外れる。この状態において、ストッパ機構Ｂ３３のストッパ片３１２を付勢手段（引張スプリング）３１３に抗して下方へ引き下げ、ストッパ片３１２の上端を開口３１２Ａより下方に位置させた状態において、上部ユニットＢ１の前面側把手１３３に指を掛けて上部ユニットＢ１を前方へ引き出す。
【００５８】
上部ユニットＢ１の側面側把手１１１が構造体Ａより露出する位置まで、上部ユニットＢ１を引き出したのち、上部ユニットＢ１の側面側把手１１１を両側から両手で把持しながら、上部ユニットＢ１を更に前方へ引き出すと、上部ユニットＢ１を下部ユニットＢ２から分離させることができる。
【００５９】
（下部ユニットの前扉の開放操作）
下部ユニットＢ２の前扉２５０の開放操作を、図９（Ａ），（Ｂ）に基づいて説明する。下部ユニットＢ２の前扉２５０を、図９（Ａ）に示すように、この前扉２５０を開放するＦ方向に移動させると、第２リンク２５１ＢもＦ方向に移動を始める。
【００６０】
そして、前扉２５０すなわち第２リンク２５１ＢをさらにＦ方向に移動させると、係合溝２５１Ｂ１に係合された係合ピン２５１Ａ１および係合ピン２５１Ｄ１はＦ方向に移動を始める。そして、これら係合ピン２５１Ａ１，２５１Ｄ１のＦ方向への移動により、リンク部材２５１Ｄおよびリンク部材２５１Ｃを介して接続された第１リンク２５１Ａが、回動軸２５１Ｆ１を中心にＦ方向に回動を始める。
【００６１】
第１リンク２５１Ａが回動軸２５１Ｆ１を中心にＦ方向に回動すると、やがて、第１リンク２５１Ａの係合ピン２５１Ａ１は第２リンク２５１Ｂの係合溝２５１Ｂ１に沿ってＧ方向に移動を始め、第２リンク２５１ＢはＦ方向に移動する係合ピン２５１Ｄ１を中心にＦ方向に回動し始める。
【００６２】
また、係合溝２５１Ｂ１に係合された係合ピン２５１Ｄ１がＦ方向に移動するとともに、第１リンク２５１Ａの係合ピン２５１Ａ１がＧ方向に移動すると、やがて、この係合ピン２５１Ｄ１を有するリンク部材２５１Ｄに挿通された回動軸２５１Ｄ２を保持するリンク部材２５１Ｃが、回動軸２５１Ｃ１を中心にＨ方向に回動を始める。
【００６３】
この後、第２リンク２５１ＢをさらにＦ方向に移動させると、第１リンク２５１Ａは回動軸２５１Ｆ１を中心にＦ方向に回動し、第１リンク２５１Ａの係合ピン２５１Ａ１はＧ方向に移動し、第２リンク２５１Ｂは係合ピン２５１Ｄ１を中心にＦ方向に回動し、リンク部材２５１Ｃは回動軸２５１Ｃ１を中心にＨ方向に回動する。
【００６４】
そして、ヒンジ機構２５１の各部材が上述したように動作し、やがて、図９（Ｂ）に示すように、Ｈ方向に回動していたリンク部材２５１Ｃの回動制限部２５１Ｃ２が第１リンク２５１Ａに当接すると、この当接により前扉２５０のＦ方向への移動が阻止される。これにより、前扉２５０の開放操作を続けることができなくなり開放操作が終了する。なお、上部ユニットＢ１の前扉１５０の開放操作については、上述した下部ユニットＢ２の前扉２５０の開放操作と略同一であるため、ここでは説明を省略する。
【００６５】
［実施形態の効果］
本実施形態によれば、次の作用効果が期待できる。
＜上部ユニットと下部ユニットとの分離・連結構造に伴う効果＞
（１）下部ユニットＢ２に対して上部ユニットＢ１を、分離連結手段Ｂ３によって分離可能かつ前後方向に移動可能としたので、遊技装置Ｂの機種入れ替え作業時には、上部ユニットＢ１のみを丸ごと入れ替えるだけでよいから、入れ替え作業時の作業効率を向上させることができる。つまり、入れ替え作業時の作業時間の短縮、入れ替え作業の簡便化が図れる。その結果、遊技装置Ｂが設置される遊技ホールの保守管理費用の低減が図れる。
【００６６】
（２）分離連結手段Ｂ３は、上部ユニットＢ１の底板１３０に設けられた摺動脚部材１３２と、下部ユニットＢ２の天板２２０に設けられ摺動脚部材１３２を下部ユニットＢ２の前後方向へ移動可能に案内するレール部材２２２とを備えているから、上部ユニットＢ１を下部ユニットＢ２に押し込んで連結する際、あるいは、上部ユニットＢ１を下部ユニットＢ２から引き出して分離する際、これらの作業を容易にかつ安全に行うことができる。
たとえば、上部ユニットＢ１を下部ユニットＢ２に連結する際には、下部ユニットＢ２のレール部材２２２に上部ユニットＢ１の摺動脚部材１３２が嵌り込むように、下部ユニットＢ２に対して上部ユニットＢ１を位置合わせしたのち、上部ユニットＢ１を下部ユニットＢ２の後方へ押し込んでいくだけで、上部ユニットＢ１を下部ユニットＢ２の上に組み込むことができる。さらに、上部ユニットＢ１が定位置まで押し込まれると、上部ユニットＢ１が下部ユニットＢ２のストッパ部材２２３に当接して、上部ユニットＢ１のそれ以上の押し込みが阻止されるから、上部ユニットＢ１を下部ユニットＢ２の定位置に位置決めすることができる。従って、連結作業を容易にかつ安全に行うことができる。しかも、上部ユニットＢ１を下部ユニットＢ２に対してスライドさせることで、連結、分離が行えるので、構造体Ａで仕切られた枠空間内に上部ユニットＢ１および下部ユニットＢ２が収納配置されているように状況にあっても、これらの作業を容易にかつ安全に行うことができる。
【００６７】
（３）分離連結手段Ｂ３は、更に、上部ユニットＢ１が下部ユニットＢ２の定位置に組み込まれた状態において、上部ユニットＢ１の前方への移動を阻止するストッパ機構Ｂ３３と、上部ユニットＢ１の底板１３０と下部ユニットＢ２の天板２２０とを締結する締結手段Ｂ３４とを備えているから、ストッパ機構Ｂ３３によって上部ユニットＢ１が定位置に押し込まれたのちは、前方への脱出が阻止される。従って、その後、締結手段Ｂ３４によって、上部ユニットＢ１と下部ユニットＢ２との締結作業を安全に行うことができる。
【００６８】
（４）ストッパ機構Ｂ３３は、下部ユニットＢ２の側板２１０に固定された保持枠３１１と、この保持枠３１１内に上下方向へ昇降可能に設けられたストッパ片３１２と、このストッパ片３１２を常時上方へ突出する方向へ付勢する付勢手段３１３とを備える。ストッパ片３１２は、先端が下部ユニットＢ２の天板２２０に形成された開口３１２Ａに対して出没可能に設けられているとともに、下端に操作部３１２Ｂを備えているから、上部ユニットＢ１を下部ユニットＢ２に組み込む際、ストッパ片３１２を付勢手段３１３に抗して下方へ引き下げ、ストッパ片３１２の上端を開口３１２Ａより下方に位置させた状態で上部ユニットＢ１を下部ユニットＢ２に組み込んだのち、付勢手段３１３の付勢力によってストッパ片３１２を上昇させ、ストッパ片３１２の上端を開口３１２Ａより上方へ突出させると、ストッパ片３１２の突出部が上部ユニットＢ１の摺動脚部材１３２の前端に当接した状態となるため、上部ユニットＢ１の前方への引き出しが自動的に阻止される。
【００６９】
（５）本実施の形態において、下部ユニットＢ２には、上部ユニットＢ１に連結される連結部材が設けられている。このように、下部ユニットＢ２に上部ユニットＢ１に連結される連結部材を設けたので、この連結部材により上部ユニットＢ１を下部ユニットＢ２に強固に固定できる。また、下部ユニットＢ２に設けられた連結部材の操作により上部ユニットＢ１を固定できるので、固定作業の際に、強い振動を与えたりしてはならない回路などを有する遊技制御基板１９２や演出制御基板２０２などが備えられた上部ユニットＢ１に接触する心配がなく、固定作業を容易にできる。さらに、下部ユニットＢ２に、連結部材の落下を阻止する延長部２２２Ｃを設けているので、上部ユニットＢ１を下部ユニットＢ２から取り外した際にも、連結部材は延長部２２２Ｃにより下部ユニットＢ２の所定の位置に保持される。そのため、上部ユニットＢ１の交換作業の際に連結部材を紛失する心配がなくなり、交換作業を容易にできる。
【００７０】
（６）また、特に本実施の形態において、連結部材としておねじ３２２Ａを備えた連結ボルト３２２を採用し、上部ユニットＢ１におねじ３２２Ａが螺合可能であるとともに筐体Ｂ１１に固定されたナット部材３２３を設けている。そのため、おねじ３２２Ａをナット部材３２３に螺合させるだけの簡単な方法で、上部ユニットＢ１を下部ユニットＢ２に強固に固定できる。また、連結部材に汎用されている連結ボルト３２２採用したので、連結部材の入手が容易となり遊技装置Ｂのコストを削減できる。
【００７１】
（７）連結ボルト３２２の軸部３２２Ｃにつまみ部３２２Ｂを備えているので、このつまみ部３２２Ｂをつまんで連結ボルト３２２を操作でき、上部ユニットＢ１を下部ユニットＢ２に固定する作業をより容易にできる。
【００７２】
（８）レール部材２２２には上部ユニットＢ１が後端側へ向かって収納されたとき上部ユニットＢ１に当接し上部ユニットＢ１の後退を規制するストッパ部材２２３が取り付けられているから、上部ユニットＢ１を押し込んで収納する際に上部ユニットＢ１がストッパ部材２２３に当接することで、上部ユニットＢ１の押し込み時の位置決めが行えるので、上部ユニットＢ１の押し込み作業がより容易になる。
【００７３】
（９）ストッパ部材２２３は、下部ユニットＢ２の上面に固定された固定片２２３Ａと、この固定片２２３Ａの前端縁から上方へ折り曲げられ上部ユニットＢ１に当接する起立片２２３Ｂとを備えているから、固定片２２３Ａと起立片２２３Ｂとが一体形成されることになる。そのため、ストッパ部材２２３を押出成型やプレス成型などによって容易に製造することができる。
【００７４】
（１０）レール部材２２２は、摺動脚部材１３２をガイドするガイド部２２２Ａと、このガイド部２２２Ａの上部水平片から上方に切り起こされる固定片２２２Ｂとを備えているので、ガイド部２２２Ａと固定片２２２Ｂとが一体に形成されることで、レール部材２２２を押出成型やプレス成型などによって容易に製造することができる。
【００７５】
（１１）下部ユニットＢ２は、天板２２０と、この天板２２０に上端縁から離れた位置で取り付けられる側板２１０とを備え、この側板２１０の上端側内側にレール部材２２２の固定片２２２Ｂが固定される構成であるので、上部ユニットＢ１の底板１３０と下部ユニットＢ２の天板２２０との間にスペースが形成されることになるので、このスペースの中にレール部材２２２とこのレール部材の上に位置する摺動脚部材１３２とが配置されることになる。そのため、上部ユニットＢ１と下部ユニットＢ２とを隙間なく上下に配置することができるので、遊技装置の外観が良好となる。
【００７６】
＜上部ユニットの効果＞
（１２）上部ユニットＢ１には、底板１３０の前端に金属製の前面側把手１３３が一体的に取り付けられているとともに、側板１１０に側面側把手１１１が設けられているから、上部ユニットＢ１を下部ユニットＢ２に連結する際、あるいは、上部ユニットＢ１を下部ユニットＢ２から分離する際に、これらの把手１３３，１１１を使って、作業を容易にかつ安全に行うことができる。たとえば、上部ユニットＢ１を下部ユニットＢ２から前方へ引き出す際には、まず、前面側把手１３３を使って上部ユニットＢ１を前方へ引き出し、側面側把手１１１が構造体Ａより露出された位置まで引き出されたのち、側面側把手１１１を使って上部ユニットＢ１を下部ユニットＢ２から完全に分離できるから、つまり、上部ユニットＢ１を下部ユニットＢ２から完全に分離する時点では側面側把手１１１を使って上部ユニットＢ１を両側から持ち抱えることができるから、これらの作業を容易にかつ安全に行うことができる。
【００７７】
（１３）上部ユニットＢ１は筐体Ｂ１１を有し、筐体Ｂ１１は木製の側板１１０、天板１２０、背板１４０と、鋼板から一体形成された底板１３０とから構成されているから、底板１３０の剛性を高めることができる。しかも、底板１３０は、鋼板で形成されるため、底板１３０に比較的重量のあるリールユニットＢ１２が取り付けられても、リールユニットＢ１２の重さによって底板１３０が撓むことがない。そのため、この点からも、上部ユニットＢ１を下部ユニットＢ２に対して容易に引き出し押し込む作業が容易に行える。さらに、ベース部材１３１の両側に一体的に金属製の摺動脚部材１３２が結合されているので、摺動脚部材１３２によってベース部材１３１の剛性を高めることができる。そのうえ、ベース部材１３１の各辺にも折曲片１３１Ａ，１３１Ｂ，１３１Ｃが形成されているから、これらの相乗効果によってより高い剛性を確保できる。その結果、ベース部材１３１の上面に固定されたリールボックス１７１を安定して支持することができる。
【００７８】
（１４）上部ユニットＢ１の前扉１５０には、前扉１５０を下方から上方へ力を掛けた状態で、前扉１５０を閉じると、前扉１５０を筐体Ｂ１１に閉塞ロックできる閉塞ロック手段１６０が設けられているから、筐体Ｂ１１に対して前扉１５０を確実に閉じることができるとともに、ヒンジ機構１５１への負荷も軽減できる。
通常、ヒンジ機構には前扉およびこれに取り付けられた付属物の重量がかかっているため、前扉を開けたとき、前扉が正規の高さ位置より下がって開放される虞がある。このような状態のまま、前扉を閉じると、筐体側と前扉側の係合部がずれて正確に閉じられないばかりでなく、ヒンジ機構にも無理な力がかかりヒンジ機構の破損を招く虞がある。本実施形態の閉塞ロック手段１６０では、前扉１５０を下方から上方へ力を掛けた状態で、前扉１５０を閉じると、前扉１５０を筐体Ｂ１１に閉塞ロックできるようにしたから、筐体Ｂ１１に対して前扉１５０を確実に閉じることができるとともに、ヒンジ機構１５１への負荷も軽減できる。
【００７９】
（１５）閉塞ロック手段１６０は、前扉１５０の他端側に設けられた固定プレート１６１と、この固定プレート１６１に隣接して上下方向へ変位可能に配置された可動プレート１６２と、この可動プレート１６２を常時下方へ付勢する付勢手段１６３とを備え、固定プレート１６１には、前扉１５０を閉じる方向へ回動していったとき、側板１１０の係合ガイド片１１５に乗り上げる乗上片１６１Ａが一体に形成されているから、前扉１５０が正規の高さ位置より下がって開放された状態から、前扉１５０を閉じても、前扉１５０側の乗上片１６１Ａが側板１１０の係合ガイド片１１５上に乗り上げて、前扉１５０の高さ位置を正規に位置に戻すから、前扉１５０を確実に閉じることができる。
しかも、乗上片１６１Ａの下面には、係合ガイド片１１５上に乗り上げる段状の切欠部１６１Ａ１が形成されているとともに、その切欠部１６１Ａ１の前端縁が前方へ向かって上方へ傾斜する傾斜面１６１Ａ２に形成されているから、この傾斜面１６１Ａ２によって乗上片１６１Ａを係合ガイド片１１５上にスムーズに乗り上がらせることができる。
【００８０】
（１６）可動プレート１６２には、付勢手段１６３によってプレート本体１６２Ａが下方へ付勢された状態において、固定プレート１６１の下端より下方へ突出する操作部１６２Ｂが設けられているとともに、固定プレート１６１の嵌合溝１６１Ｂと対応する位置にロック片１６２Ｃが一体的に形成されている。ロック片１６２Ｃは、プレート本体１６２Ａから前方へ向かって突出され、その突出部の下面に下側に開口を有する溝部１６２Ｃ１およびこの溝部１６２Ｃ１から連続して前方へ向かうに従って上方へ傾斜する傾斜面１６２Ｃ２を備えた形状に形成されているから、前扉１５０を閉じる方向へ回動していくと、ロック片１６２Ｃの傾斜面１６２Ｃ２が係合ピン１１４に当接し、更に、閉じる方向へ回動すると、可動プレート１６２が付勢手段１６３に抗して上方へ移動されるから、溝部１６２Ｃ１が開放され係合ピン１１４に嵌り込む。すると、可動プレート１６２が付勢手段１６３によって下方へ移動されるため、溝部１６２Ｃ１が塞がれる。つまり、溝部１６２Ｃ１からの係合ピン１１４の脱出が阻止された状態となるから、前扉１５０の開放が規制される。
【００８１】
＜下部ユニットの効果＞
（１７）下部ユニットＢ２において、木製の天板２２０の前端縁には凹部２２１が形成され、この凹部２２１の内端面を覆うように、凹部保護プレート２２５が設けられているから、下部ユニットＢ２の上部からメダルを補充する際にメダル補充用容器が凹部２２１に当たっても、凹部２２１が損傷するのを防止できる。
【００８２】
（１８）凹部保護プレート２２５は、下部ユニットＢ２の天板２２０上にストッパ部材２２３を固定するための止めねじ２２４を利用して、下部ユニットＢ２に固定されているから、部品点数を少なくできる。つまり、止めねじ２２４の数を少なくでき、その結果、組立作業工数も削減できる。
更に、止めねじ２２４を利用して、ストッパ部材２２３および凹部保護プレート２２５だけでなく、コネクタ２２８を取り付けるためのコネクタ取付プレート２２６も固定されているから、より部品点数の削減、組立工数の削減が図れる。
【００８３】
（１９）コネクタ２２８には、電源用コネクタ端子２２８Ａ、演出ユニット用コネクタ端子２２８Ｂ、主基板用コネクタ端子２２８Ｃなどが設けられているとともに、これらが透明な合成樹脂などから形成されたコネクタカバー２２９によって覆われているから、前扉２５０を開けて保守点検作業を行うにも、安全性を確保できる。
【００８４】
（２０）コネクタカバー２２９は、背面側を開口した偏平箱状のカバー本体２２９Ａと、このカバー本体２２９Ａの開口部一端側に一体的に設けられ係合孔２２７に回動可能に係合される折返フック片２２９Ｂと、カバー本体２２９Ａの開口部他端側に一体的に設けられ係合孔２２７に係止される係合爪２２９Ｃとを備えているから、係合爪２２９Ｃを係合孔２２７から外したのち、折返フック片２２９Ｂを支点としてコネクタカバー２２９を回動すれば、コネクタ２２８を露出した状態に開放できる。しかも、折返フック片２２９Ｂが係合孔２２７に回動可能に係合しているから、コネクタカバー２２９が外れて紛失してしまう虞もない。
【００８５】
（２１）下部ユニットＢ２の側板２１０に、前扉２５０を開閉可能に装着するヒンジ機構２５１を設けている。このヒンジ機構２５１には、側板２１０の回動軸２５１Ｆ１を中心に回動自在に設けられた第１リンク２５１Ａと、前扉２５０の内表面に固定された第２リンク２５１Ｂとが設けられている。そして、第２リンク２５１Ｂには略細長形状に形成された係合溝２５１Ｂ１が形成されている。また、第１リンク２５１Ａの平面部の他端側には係合溝２５１Ｂ１に移動可能に係合された係合ピン２５１Ａ１が設けられている。このような構成により、前扉２５０の開放操作を実施すると、第１リンク２５１Ａは、側板２１０に固定された回動軸２５１Ｆ１を中心に回動する。また、この開放操作の際に、第１リンク２５１Ａの係合ピン２５１Ａ１が第２リンク２５１Ｂの係合溝２５１Ｂ１に沿って移動されると、第２リンク２５１Ｂは、第１リンク２５１Ａに対してスライドする。このように、第１リンク２５１Ａの回動中心である回動軸２５１Ｆ１を側板２１０に設け、この第１リンク２５１Ａに対してスライドする第２リンク２５１Ｂを前扉２５０に設けているので、前扉２５０を開放操作すると、第２リンク２５１Ｂに固定される前扉２５０は下部ユニットＢ２に対して前方に移動するため、前扉２５０の端部が下部ユニットＢ２の前面より後方に位置することがない。このため、下部ユニットＢ２に密接して、他の遊技装置Ｂを配置しても当該遊技装置Ｂと前記前扉２５０との干渉を防止できる。
【００８６】
（２２）また、ヒンジ機構２５１に、リンク部材２５１Ｃ，２５１Ｄを設けている。リンク部材２５１Ｃは、一端側においてリンク部材２５１Ｄに、略中央において第１リンク２５１Ａに、それぞれ回動可能に設けられている。リンク部材２５１Ｄは、第２リンク２５１Ｂの係合溝２５１Ｂ１に係合された係合ピン２５１Ｄ１を備えている。このように、リンク部材２５１Ｄおよび第１リンク２５１Ａに回動可能に設けられたリンク部材２５１Ｃと、第２リンク２５１Ｂに係合されたリンク部材２５１Ｄとを設けているので、これらリンク部材２５１Ｃ，２５１Ｄにより、第１リンク２５１Ａに対する第２リンク２５１Ｂの移動軌跡を略一定にできる。このため、前扉２５０の移動軌跡も略一定とすることができ、当該開放操作を容易にできる。
【００８７】
（２３）リンク部材２５１Ｃに、当該リンク部材２５１Ｃの第１リンク２５１Ａに対する回動の角度を制限する回動制限部２５１Ｃ２を設けている。このため、前扉２５０の開放操作の際の下部ユニットＢ２に対する前扉２５０の移動は、常に所定位置で阻止され、当該開放操作をより容易にできる。
【００８８】
（２４）また、取付金具２５１Ｅを介して第２リンク２５１Ｂを前扉２５０に取り付けているので、第２リンク２５１Ｂの前扉２５０への取付を容易にできる。
【００８９】
（２５）前扉２５０の内表面に凹み２５０Ａを形成し、この凹み２５０Ａの平面部２５０Ａ１に取付金具２５１Ｅを取り付けている。このような構成により、第２リンク２５１Ｂの取付位置を、筐体Ｂ２１の開口面に近接させることができる。このため、前扉２５０をより大きく開放でき、筐体Ｂ２１内へのものの搬入搬出を容易にできる。
【００９０】
（２６）連結ボルト３２２に略棒状の軸部３２２Ｃを設け、レール部材２２２の延長部２２２Ｃに、軸部３２２Ｃが挿通可能であるとともにおねじ３２２Ａが螺合可能な挿通孔２２２Ｄを設けている。これにより、おねじ３２２Ａをめねじ３２４に螺合することにより、連結ボルト３２２を延長部２２２Ｃに対して進退させることができるので、下部ユニットＢ２に延長部２２２Ｃを取り付けた後でも、連結ボルト３２２を、軸部３２２Ｃが挿通孔２２２Ｄに挿通されかつおねじ３２２Ａが延長部２２２Ｃよりも上部ユニットＢ１側に位置するように配設できる。そして、連結ボルト３２２をこのように配設すれば、連結ボルト３２２は、おねじ３２２Ａの下端部において挿通孔２２２Ｄのめねじ３２４により支持され落下が阻止される。そのため、連結ボルト３２２に略棒状の軸部３２２Ｃを設け、レール部材２２２の延長部２２２Ｃに軸部３２２Ｃが挿通可能であるとともにおねじ３２２Ａが螺合可能な挿通孔２２２Ｄを設けるだけの簡単な構成で、連結ボルト３２２の落下を阻止できる。また、連結ボルト３２２の落下を阻止するように、連結ボルト３２２を配設する作業を容易にできる。
【００９１】
（２７）ガイド部２２２Ａおよび延長部２２２Ｃは、１枚の板材の折り曲げ加工によって形成されているので、ガイド部２２２Ａおよび延長部２２２Ｃを押出成型やプレス成型などで容易に製造することができる。
【００９２】
［他の実施形態］
なお、本発明は、前述の実施形態に限定されるものではなく、本発明の目的を達成できる範囲での変形、改良等は本発明に含まれる。
たとえば、前記実施形態では、下部ユニットＢ２の筐体Ｂ２１に、遊技媒体投入手段Ｂ２２、操作手段Ｂ２３、電源ユニットＢ２４、外部集中端子板Ｂ２５、遊技媒体回収払出手段Ｂ２６を組み込んだが、これら全てを組み込まなくてもよい。遊技装置の機種などに応じて、適宜組み合わせて組み込めばよい。
【００９３】
ヒンジ機構２５１に、リンク部材２５１Ｃ，２５１Ｄを設けない構成としてもよい。このようにすれば、ヒンジ機構２５１の構成を簡略化できる。また、ヒンジ機構２５１を構成する部品数を減らすことができるので、ヒンジ機構２５１のコストダウンを図れる。
【００９４】
リンク部材２５１Ｃに、回動制限部２５１Ｃ２を設けない構成としてもよい。このようにすれば、リンク部材２５１Ｃの構成を簡略化できる。また、リンク部材２５１Ｃを構成する部品数を減らすことができるので、ヒンジ機構２５１のコストダウンを図れる。また、回動制限部２５１Ｃ２をリンク部材２５１Ｃの平面部の他端側に配設したが、これに限らずリンク部材２５１Ｃの第１リンク２５１Ａに対する回動の角度を制限する位置であれば適宜他の位置に配設できる。
【００９５】
第２リンク２５１Ｂを取付金具２５１Ｅを介して前扉２５０に取り付ける構成としたが、第２リンク２５１Ｂを前扉２５０に直接取り付ける構成としてもよい。このようにすれば、取付金具２５１Ｅを設ける必要がなくなるので、遊技装置Ｂのコストダウンを図れる。
【００９６】
前扉２５０の内表面に凹み２５０Ａを形成し、この凹み２５０Ａの平面部２５０Ａ１に取付金具２５１Ｅを取り付けたが、これに限らず前扉２５０の内表面に凹み２５０Ａを形成しない構成とし、この前扉２５０の内表面に取付金具２５１Ｅを取り付ける構成としてもよい。このようにすれば、前扉２５０の内表面に凹み２５０Ａを形成する工程を省略でき、遊技装置Ｂのコストダウンを図れる。
【００９７】
さらに、「島」を構成する遊技装置に適用するものに限らず、１台のみの遊技装置にも本発明を適用することができる。
【産業上の利用可能性】
【００９８】
本発明は、いわゆる「パチスロ」と称される回胴式遊技装置に利用できる他、たとえば、いわゆる「パチンコ」と称されるパチンコ式遊技装置、スロットマシン、業務用テレビゲーム機などにも利用することができる。
【図面の簡単な説明】
【００９９】
【図１】本発明の一実施形態の遊技システムを示す斜視図。
【図２】遊技装置の前扉を開放した状態を示す斜視図。
【図３】遊技装置の前扉を開放した状態の正面図。
【図４】遊技装置の上部ユニット筐体内を上方から見た斜視図。
【図５】遊技装置の上部ユニット筐体内を下方から見た斜視図。
【図６】遊技装置の上部ユニットに設けられる閉塞ロック機構を示す図。
【図７】遊技装置の下部ユニットを上方から見た斜視図。
【図８】遊技装置の下部ユニットに取り付けられるコネクタを示す斜視図。
【図９】遊技装置の下部ユニットに取り付けられるヒンジ機構を示す図。      （Ａ）：筐体の前扉を閉じた状態におけるヒンジ機構を示す図      （Ｂ）：筐体の前扉を開いた状態におけるヒンジ機構を示す図
【図１０】遊技装置の下部ユニットの前扉を裏面から見た斜視図。
【図１１】遊技装置の上部ユニットと下部ユニットとの分離連結手段を示す図。
【図１２】遊技装置の上部ユニットと下部ユニットとの締結手段を示す図。
【符号の説明】
【０１００】
Ｂ…        遊技装置
Ｂ１１…    筐体
Ｂ２１…    筐体
１５０，２５０…  扉としての前扉
２５０Ａ…  凹み
２５０Ａ１…平面部
１５１，２５１…  ヒンジ機構
２５１Ａ…  第１リンク
２５１Ｂ…  第２リンク
２５１Ｂ１…係合溝
２５１Ｃ，２５１Ｄ…  第３リンクとしてのリンク部材
２５１Ｃ２…回動制限部
２５１Ｅ…  取付金具
【図１】
2005073858.tif 000003
【図２】
2005073858.tif 000004
【図３】
2005073858.tif 000005
【図４】
2005073858.tif 000006
【図５】
2005073858.tif 000007
【図６】
2005073858.tif 000008
【図７】
2005073858.tif 000009
【図８】
2005073858.tif 000010
【図９】
2005073858.tif 000011
【図１０】
2005073858.tif 000012
【図１１】
2005073858.tif 000013
【図１２】
2005073858.tif 000014